(57)【要約】      （修正有）【課題】高湿環境下で使用したとしても、磁気テープが磁気ヘッドに貼り付くことを防止し、エラーレートの上昇を抑制できる磁気テープ装置を提供する。【解決手段】磁気ヘッドを収容した湿度制御部１と、湿度制御部１内に配され湿度制御部１内の温度及び湿度を検出する温度湿度センサー４と、湿度制御部１内の温度を上昇させることが可能なペルチェ素子１１と、温度湿度センサー４で検出された湿度に基づいてペルチェ素子１１を制御する制御部とを備え、制御部は、温度湿度センサー４が検出する湿度制御部１内の湿度が所定値よりも高くなった時に、湿度制御部１内の温度を上昇させるようペルチェ素子１１を制御する。【選択図】図２
2009223964.tif 000002
【特許請求の範囲】
【請求項１】
磁気テープを移送させる移送手段と、
前記移送手段によって移送されている前記磁気テープに情報を書き込み、または前記磁気テープに記録されている情報を読み出すことができる磁気ヘッドとを備えた磁気テープ装置であって、
前記磁気ヘッドを収容した筐体と、
前記筐体内に配され、前記筐体内の温度及び湿度を検出する検出手段と、
前記筐体内の温度を上昇させることが可能な加熱手段と、
前記検出手段で検出された湿度に基づいて前記加熱手段を制御する制御手段とを備え、
前記制御手段は、
前記検出手段が検出する前記筐体内の湿度が所定値よりも高くなった時に、前記筐体内の温度を上昇させるよう前記加熱手段を制御する、磁気テープ装置。
【請求項２】
前記加熱手段は、ペルチェ素子で構成された、請求項１に記載の磁気テープ装置。
【請求項３】
前記加熱手段は、前記磁気ヘッドにおける磁気テープ摺動面の裏面に接合されている、請求項１または２に記載の磁気テープ装置。
【請求項４】
前記筐体の表面に形成され、当該筐体の内部と外部とを連通する空間を備えた外気導入部と、
前記外気導入部の内部空間に配されたファンとを、さらに備え、
前記加熱手段は、前記外気導入部の内側に配され、
前記ファンは、前記加熱手段によって加熱された空気を前記筐体内に導入させる、請求項１〜３のいずれかに記載の磁気テープ装置。
【発明の詳細な説明】
【技術分野】
【０００１】
本発明は、各種情報を記録または再生可能な磁気テープ装置に関する。特に、磁気抵抗効果型（ＭＲ）ヘッドを用いた磁気テープ装置に関する、また、コンピューターテープなどの高容量磁気テープに各種情報を記録または再生可能な磁気テープ装置に関する。
【背景技術】
【０００２】
コンピューターに搭載されたハードディスクに記録されているデータをバックアップするものとして、磁気テープが多く用いられている。データバックアップ用の磁気テープの分野では、ハードディスクの大容量化に伴い、１巻あたり数百ＧＢ〜数ＴＢの記憶容量を有する磁気テープが商品化されている。今後、さらなるハードディスクの大容量化に対応するため、データバックアップ用の磁気テープの高容量化は不可欠である。
【０００３】
この高容量化を果たしていくためには、磁気テープの線記録密度を上げることが必須であり、そのために、磁気テープの磁性層表面は極めて平滑に仕上げられている。よって、磁性層の研磨性は低下する傾向にある。
【０００４】
このような磁気テープを用いて記録再生を行う磁気テープ装置は、様々な使用環境で使用されるが、特に高湿環境下においては、磁気ヘッドのテープ摺動面の摩擦係数が高くなることで、磁気テープの摺動スピードを一定に保つことが困難になる。よって、磁気ヘッドは、磁気テープから正常に情報を読み出すことができず、エラーレートが上昇するなどの問題が発生する。
【０００５】
このような問題を解決する構成が例えば特許文献１に開示されているが、同文献に開示された構成は磁気ヘッドにおけるテープ摺動面に濡れ性が良い材料をコーティングする構成であり、温度及び湿度のモニタを行っていないため、磁気ヘッドにおける湿度を一定に保つことが困難である。磁気ヘッドにおける温度及び湿度をモニタする構成が特許文献２に開示されている。
【特許文献１】特開平６−４４５１５号公報
【特許文献２】特開昭６２−１４６４４７号公報
【発明の開示】
【発明が解決しようとする課題】
【０００６】
しかしながら、特許文献２に開示されているような、磁気ヘッドを備えたシリンダと湿度センサーとが配されたビデオテープレコーダーの筐体は、比較的大型であるため、筐体内の温度及び湿度にムラが生じ、湿度の制御が困難である。したがって、高湿環境下で使用した場合、磁気テープが磁気ヘッドに貼り付く現象が発生する可能性がある。
【０００７】
本発明の目的は、高湿環境下で使用したとしても、磁気テープが磁気ヘッドに貼り付くことを防止し、エラーレートの上昇を抑制できる磁気テープ装置を提供することである。
【課題を解決するための手段】
【０００８】
本発明の磁気テープ装置は、磁気テープを移送させる移送手段と、前記移送手段によって移送されている前記磁気テープに情報を書き込み、または前記磁気テープに記録されている情報を読み出すことができる磁気ヘッドとを備えた磁気テープ装置であって、前記磁気ヘッドを収容した筐体と、前記筐体内に配され、前記筐体内の温度及び湿度を検出する検出手段と、前記筐体内の温度を上昇させることが可能な加熱手段と、前記検出手段で検出された湿度に基づいて前記加熱手段を制御する制御手段とを備え、前記制御手段は、前記検出手段が検出する前記筐体内の湿度が所定値よりも高くなった時に、前記筐体内の温度を上昇させるよう前記加熱手段を制御するものである。
【発明の効果】
【０００９】
本発明によれば、磁気ヘッドを収容した筐体内の相対湿度を、磁気テープ装置の設置環境における相対湿度よりも低くすることができ、高湿環境下でも磁気テープが磁気ヘッドに貼り付くことを防止し、エラーレートの上昇を抑えることができる。
【発明を実施するための最良の形態】
【００１０】
本発明の磁気テープ装置は、磁気テープを移送させる移送手段と、前記移送手段によって移送されている前記磁気テープに情報を書き込み、または前記磁気テープに記録されている情報を読み出すことができる磁気ヘッドとを備えた磁気テープ装置であって、前記磁気ヘッドを収容した筐体と、前記筐体内に配され、前記筐体内の温度及び湿度を検出する検出手段と、前記筐体内の温度を上昇させることが可能な加熱手段と、前記検出手段で検出された湿度に基づいて前記加熱手段を制御する制御手段とを備え、前記制御手段は、前記検出手段が検出する前記筐体内の湿度が所定値よりも高くなった時に、前記筐体内の温度を上昇させるよう前記加熱手段を制御するものである。このような構成とすることにより、磁気ヘッドを収容した筐体内の相対湿度を、磁気テープ装置の設置環境における相対湿度よりも低くすることができ、高湿環境下でも磁気テープが磁気ヘッドに貼り付くことを防止し、エラーレートの上昇を抑えることができる。また、筐体は、磁気ヘッドを蔽う狭小な空間で構成されているので、小型の加熱手段を空間内の一部に配設するだけで空間内の温度をほぼ均一に所定の温度範囲に制御することができ、したがって、湿度も容易に制御が可能である。
【００１１】
本発明の磁気テープ装置において、前記加熱手段は、ペルチェ素子で構成することができる。このような構成とすることで、ペルチェ素子に流す電流量を制御することで発熱量を制御することでき、筐体内の温度を調整することができる、また、ペルチェ素子に流す電流の向きを変えることでペルチェ素子において発熱位置と冷却位置とを簡単に入れ替えることができる。よって、磁気ヘッドを必要に応じて加熱したり冷却したりすることができる。
【００１２】
本発明の磁気テープ装置において、前記加熱手段は、前記磁気ヘッドにおける磁気テープ摺動面の裏面に接合されている構成とすることができる。このような構成とすることで、磁気ヘッドの温度変化を早期に検出することができる。
【００１３】
本発明の磁気テープ装置において、前記筐体の表面に形成され、当該筐体の内部と外部とを連通する空間を備えた外気導入部と、前記外気導入部の内部空間に配されたファンとを、さらに備え、前記加熱手段は、前記外気導入部の内側に配され、前記ファンは、前記加熱手段によって加熱された空気を前記筐体内に導入させる構成とすることができる。このような構成とすることにより、磁気ヘッドを収容した筐体内の相対湿度を、磁気テープ装置の設置環境における相対湿度よりも低くすることができ、高湿環境下でも磁気テープが磁気ヘッドに貼り付くことを防止し、エラーレートの上昇を抑えることができる。
【００１４】
（実施の形態）
〔１．第１の磁気テープ装置の構成〕
図１は、本発明の一例の磁気テープ装置の内部構成を示す概略平面図である。図２は、湿度制御部１の外観を示す斜視図であり、内部構造をわかりやすくするために湿度制御部１は破線で描画し、内部構造は実線で描画した。図３は、図２に示す湿度制御部１を磁気ヘッド２、孔部１２ａ及び１２ｂを通る水平面で破断した断面図である。また、図１において、便宜上、ペルチェ素子１１の描画は省略し、図２及び図３に明瞭に描画した。
【００１５】
本実施の形態の磁気テープ装置１０は、湿度制御部１、磁気ヘッド２、アクチュエータ３、温度湿度センサー４、テープガイド６、巻き取りリール８、カートリッジ収納部９、およびペルチェ素子１１を備えている。本実施の形態の磁気テープ装置は、ＬＴＯ規格に準拠した磁気テープを用いることができるドライブを一例として挙げている。このようなドライブで情報を書き込む際は、磁気テープを始端から終端まで走行させながら磁気ヘッドでデータトラックを形成して情報を書き込む。次に、磁気ヘッドを磁気テープの幅方向に所定量移動させて、磁気テープを終端から始端まで走行させながら磁気ヘッドでデータトラックを形成して情報を書き込む。以降、上記動作を繰り返して、磁気テープの長手方向に平行な複数のデータトラックを形成する。
【００１６】
湿度制御部１は、箱状の筐体で構成され、磁気ヘッド２やアクチュエータ３などを覆うように配されている。湿度制御部１の対向する一対の側面には、孔部１２ａ及び１２ｂが形成されている。孔部１２ａ及び１２ｂは、少なくとも磁気テープ５（磁気テープ５の端部に配されているガイドピンを含む）を挿通可能な大きさを有する。また、湿度制御部１は、磁気ヘッド２と磁気ヘッドアクチュエータ３とを蔽う狭小な空間で構成されているので、小型のペルチェ素子１１を空間内の一部に配設するだけで空間内の温度をほぼ均一に所定の温度範囲に制御することができ、したがって、湿度も容易に制御が可能である。
【００１７】
磁気ヘッド２は、磁気テープ５に各種情報を書き込んだり、磁気テープ５に記録されている各種情報を読み出したりすることができる。また、磁気ヘッド２には、本実施の形態では磁気抵抗効果素子（ＭＲ素子）を用いたＭＲヘッドで構成した。
【００１８】
アクチュエータ３は、磁気テープ５に各種情報を記録する際、または磁気テープ５に記録された各種情報を読み出す際に、磁気ヘッド２を磁気テープ５の幅方向に移動させることができる。
【００１９】
温度湿度センサー４は、湿度制御部１の内部に配され、湿度制御部１の内部空間における温度及び湿度を検出することができる。本実施の形態では、温度湿度センサー４は、湿度制御部１の内面底部に配置したが、この位置は一例である。
【００２０】
テープガイド６は、磁気テープ５が磁気テープ装置１０内の所定の位置を走行可能なように、磁気テープ５を案内するものである。テープガイド６は、略円筒形状のローラを備え、ローラの円筒面に磁気テープ５が巻き回される。テープガイド６は、磁気ヘッド２の入側及び出側にそれぞれ配され、磁気ヘッド２に対する磁気テープ５の相対位置を規制している。
【００２１】
巻き取りリール８は、磁気テープカートリッジ７から引き出された磁気テープ５が巻き回されるリールである。巻き取りリール８は、別途設けられたモータにより回転駆動される。巻き取りリール８を矢印Ｂに示す方向へ回転させることで、磁気テープ５を矢印Ａに示す方向へ走行させることができ、巻き取りリール８を矢印Ｃに示す方向へ回転させることにより、磁気テープ５を矢印Ａの反対方向へ走行させることができる。
【００２２】
カートリッジ収納部９は、磁気テープカートリッジ７を収納可能な部位である。また、カートリッジ収納部９は、磁気テープカートリッジ７内に収納されているリール７ａを回転駆動することができる駆動手段を備えている。
【００２３】
ペルチェ素子１１（加熱手段）は、湿度制御部１内に配され、複数の金属導体が接続されて構成されている。この金属導体に所定の向きの電流を流すことによって、金属導体の一方の接続部分における温度が上昇して、他方の接続部分における温度が低下する働きがある。また、電流を流す向きを反対にすることによって、一方の接続部分における温度が低下して、他方の接続部分における温度が上昇する働きがある。また、金属導体に流す電流の大きさを変えることによって、接続部分における温度を変化させることができる。本実施の形態では、ペルチェ素子１１は、磁気ヘッド２における磁気テープ摺動面（ヘッドチップが配された面）に対して背面に配されている。この構成において、ペルチェ素子１１に所定の向きの電流を流すことにより、磁気ヘッド２及びその周辺の温度を上昇させることができる。
【００２４】
図４は、ペルチェ素子１１の動作制御を行う構成のブロック図を示す。図４に示すように、制御部１５は、温度湿度センサー４において検出された温度及び湿度に基づいて、ペルチェ素子１１に流す電流量を制御し、磁気ヘッド２及びその周辺の温度を制御し、湿度制御部１の内部空間の湿度を制御することができるものである。本実施の形態では、制御部１５は、温度湿度センサー４が湿度制御部１の内部空間の湿度が所定値よりも高くなったことを検出すれば、ペルチェ素子１１に流す電流量を多くして、磁気ヘッド２及びその周辺の温度を上昇させて、湿度制御部１の内部空間の相対湿度を低下させるように制御している。
【００２５】
上記構成において、磁気テープ５に各種情報を記録する際は、磁気テープカートリッジ７をカートリッジ収納部９に収納し、ローディング動作を行う。ローディング動作が完了すると、図１に示すように磁気テープ５が磁気ヘッド２及びテープガイド６に当接するテープパスが形成される。この状態で、モータなどの駆動手段により巻き取りリール８を矢印Ｂに示す方向へ回転させることで、磁気テープ５を矢印Ａに示す方向へ走行させることができる。次に、磁気ヘッド２を通電することで、磁気テープ５における所定のデータバンドにデータトラックを形成し、情報を記録することができる。なお、磁気テープ５に書き込まれた情報を再生する動作については説明を省略する。
【００２６】
このような磁気テープ装置１０を高湿環境下（例えば相対湿度８０％ＲＨ以上）に配置すると、磁気テープ５と磁気ヘッド２との摩擦係数が増大し、磁気テープ５が磁気ヘッド２に貼り付いてしまう可能性がある。この状態で磁気テープ５を移送させて磁気テープに記録されている情報を読み出そうとしても、磁気テープの摺動スピードが不安定になるため、正常に情報を読み出すことができず、エラーレートを上昇させてしまう。本実施の形態では、温度湿度センサー４で湿度制御部１内の温度及び湿度を監視し、制御部１５（図４参照）にその情報を送っている。制御部１５は、温度湿度センサー４で検出している湿度が所定値よりも高くなれば、ペルチェ素子１１に対して電流を流すように制御またはペルチェ素子１１に流れている電流量を多くするよう制御する。加熱手段であるペルチェ素子１１は、制御部１５からの制御により磁気ヘッド２全体を加熱することで、湿度制御部１の内部空間の相対湿度を下げるように構成されている。
【００２７】
すなわち、ペルチェ素子１１に所定の向きの電流を流すと、ペルチェ素子１１のペルチェ効果により磁気ヘッド２に接する側は加熱され、その裏側（アクチュエータ３側）は冷却する。これにより、湿度制御部１は、その内部温度が外部温度よりも高くなるために、内部の相対湿度が低下する。例えば、磁気テープ装置１０の設置環境の温度が２５℃、湿度が８０％ＲＨにおける水蒸気量ｗ１は、図７に示すように飽和水蒸気量が２３．１（ｇ／ｍ3）なので、
ｗ１＝２３．１×０．８
＝１８．４８（ｇ／ｍ3）
となる。この状態で雰囲気を２５℃から３５℃に上げると、３５℃の飽和水蒸気量は３９．６（ｇ／ｍ3）なので、このときの相対湿度ｈ１は、
ｈ１＝１８．４８／３９．６×１００
＝４６．７（％ＲＨ）
となって、相対湿度ｈ１を低下させることができる。
【００２８】
以上のように本構成によれば、湿度制御部１内には、温度湿度センサー４が配設されており、この温度湿度センサー４において検出された温度及び湿度の情報に基づいて、ペルチェ素子１１に流す電流量を制御する制御部１５を設けることにより、湿度制御部１内を所望の相対湿度になるように制御することができる。
【００２９】
また、湿度制御部１は、磁気ヘッド２とアクチュエータ３とを蔽う狭小な空間で構成されているので、小型のペルチェ素子１１を空間内の一部に配設するだけで空間内の温度をほぼ均一に所定の温度範囲に制御することができ、したがって、湿度も容易に制御が可能である。
【００３０】
〔２．第２の磁気テープ装置の構成〕
図５は、本実施の形態の磁気テープ装置における湿度制御部の構成を示す。本実施の形態では、加熱手段であるペルチェ素子２１が、湿度制御部１の内側における底面１ａに配設されている。ペルチェ素子２１の底面は底面１ａに接し、上面には磁気ヘッド２を備えたアクチュエータ３が配されている。図５において、ペルチェ素子２１以外の構成は、前述の第１の磁気テープ装置の構成と同様の構成となっているため、説明は省略する。
【００３１】
図５において、ペルチェ素子２１に電流を流すと、ペルチェ素子２１の湿度制御部１の内面側（磁気ヘッド２側）は加熱され、その裏側（底面１ａ側）は冷却する。これにより、湿度制御部１の内部温度は外部温度よりも高くなるために、湿度制御部１の内部の相対湿度は低下する。
【００３２】
〔３．第３の磁気テープ装置の構成〕
図６は、本実施の形態の磁気テープ装置における湿度制御部の構成を示す。本実施の形態では、加熱手段であるペルチェ素子３１が湿度制御部１への外気導入部１３の内面に配設されている。
【００３３】
外気導入部１３は、湿度制御部１の外面に配され、外部と湿度制御部１内とを連通する孔部１３ａを有する。孔部１３ａの内面には、ペルチェ素子３１が配されている。孔部１３ａ内にはファン１４が配されている。
【００３４】
ファン１４は、別途設けられたモータなどの駆動手段により回転駆動される。ファン１４は、回転されることにより、湿度制御部１内の空気を孔部１３ａを介して外部に排出したり、外気を孔部１３ａを介して湿度制御部１内に導入することができる。また、ファン１４は、制御部１５（図４参照）により回転駆動制御される構成とすることができる。
【００３５】
上記以外の構成は、前述の第１の磁気テープ装置の構成と同様の構成となっているため、説明は省略する。
【００３６】
図６において、ペルチェ素子３１に所定の向きの電流を流すと、ペルチェ素子３１の外気導入部１３の内面側は加熱され、その裏側（外気導入部１３の外面）は冷却する。これにより、外気導入部１３の内部の温度は、外部の温度よりも高くなる。さらに、ファン１４を回転駆動して外気導入を行うことにより、外気導入部１３内で加熱された空気が湿度制御部１の内部に送り込まれ、湿度制御部１内の温度は上昇する。これにより、湿度制御部１内の相対湿度は低下する。
【００３７】
以上のように本実施の形態によれば、磁気ヘッド２の背面にペルチェ素子１１を配し、温度湿度センサー４で検出された湿度に基づきペルチェ素子１１に流す電流量を制御することで、磁気ヘッド２及びその周辺の温度を上昇させることができる。これにより、湿度制御部１の内部空間の相対湿度を低下させることができる。湿度制御部１の内部空間の相対湿度を低下させることにより、磁気ヘッド２と磁気テープ５との摩擦係数を低下させることができ、磁気ヘッド２と磁気テープ５との貼り付きを抑えることができる。よって、磁気テープ５の移送時、磁気ヘッド２に対する磁気テープ５の摺動スピードの低下を抑え、磁気テープ５のエラーレートの上昇を抑えることができる。
【００３８】
また、磁気ヘッド２と温度湿度センサー４とペルチェ素子１１とを湿度制御部１（筐体）に収容する構成とすることにより、温度湿度センサー４において温度及び湿度を検出する空間は、湿度制御部１内の空間のみとなるため、磁気ヘッド２及びその近傍の湿度及び温度変化を早期に検出することができる。また、湿度制御部１は比較的狭い空間であり、ペルチェ素子１１への電流制御に応じて湿度が変化しやすいため、湿度の制御を容易に行うことができる。
【００３９】
また、加熱手段をペルチェ素子１１で構成したことにより、電流の大きさに応じて磁気ヘッド２及びその周辺の湿度及び温度を調節することができるので、簡単な構成で磁気ヘッド２及びその周辺の相対湿度を変化させることができる。
【００４０】
また、ペルチェ素子１１は、磁気ヘッド２における磁気テープ摺動面の裏面に接合されている構成とすることで、磁気ヘッド２及びその周辺の温度及び湿度を早期に変化させることができる。よって、高湿環境下において磁気テープ５が磁気ヘッド２に貼り付く現象を抑え、エラーレートの上昇を抑えることができる。
【００４１】
また、湿度制御部１の外面に配された外気導入部１３にペルチェ素子３１を配し、ペルチェ素子３１で加熱された空気を湿度制御部１内に導入するためのファン１４を備えた。温度湿度センサー４で検出された湿度に基づきペルチェ素子３１に流す電流量を制御して空気を加熱し、加熱した空気をファン１４によって湿度制御部１内に導入することで、湿度制御部１の内部空間の温度を上昇させることができる。これにより、湿度制御部１の内部空間の相対湿度を低下させることができ、高湿環境下において磁気テープ５が磁気ヘッド２に貼り付く現象を抑えることができる。よって、磁気テープ５のエラーレートの上昇を抑えることができる。
【００４２】
なお、本実施の形態における第３の磁気テープ装置においては、外気導入部１３の内面にペルチェ素子３１を配する構成としたが、略板状のペルチェ素子を４枚貼り合わせて、孔部を備えた外気導入部を形成する構成としても、本実施の形態と同様の効果が得られる。
【００４３】
また、本実施の形態において、温度湿度センサー４は１ユニット化されているが、温度センサーと湿度センサーとを別々のユニットとしてもよい。
【００４４】
また、本実施の形態において、ペルチェ素子１１，２１，３１の配置位置は一例であり、磁気ヘッド２、磁気ヘッド２の周辺、または湿度制御部１内の温度を上昇させて湿度を低下させることができれば、本実施の形態に示す位置に限らない。
【００４５】
また、本実施の形態におけるペルチェ素子１１，２１，３１は、本発明の加熱手段の一例である。また、本実施の形態における温度湿度センサー４は、本発明の検出手段の一例である。また、本実施の形態におけるテープガイド６、巻き取りリール８などの磁気テープ５を移送させる構成は、本発明の移送手段の一例である。また、本実施の形態における湿度制御部１は、本発明の筐体の一例である。また、本実施の形態における制御部１５は、本発明の制御手段の一例である。
【００４６】
〔４．磁気テープ装置の実施例〕
高湿環境下におけるエラーレートの上昇の問題は、使用する磁気テープと磁気テープ装置との組み合わせにより、発生の状況は様々である。通常、湿度が２０％ＲＨ未満になるとステインが発生し易くなり、湿度が８０％ＲＨを超えると磁気テープが磁気ヘッドに貼り付き易くなる。したがって、湿度制御部内の湿度は、２０〜８０％ＲＨの範囲に制御することが好ましく、３０〜７０％ＲＨの範囲に制御することがより好ましい。
【００４７】
以下、実施例により本発明をさらに具体的に説明するが、本発明は、これらの実施例に限定されるものではない。
【００４８】
〔４−１．実施例１〕
厚さ６μｍのポリエステルフイルムの一方の主面上に、まず、カーボンブラックと針状酸化鉄粉末と結合剤樹脂とを含む非磁性塗料、磁性粉末（平均粒子径６０ｎｍ、保持力Ｈｃ＝１４９．６ｋＡ／ｍ（１８８０Ｏｅ））とアルミナ粉末（平均粒子径０．２μｍ）と結合剤樹脂とを含む磁性塗料をこの順に塗布し、乾燥処理及びカレンダ処理を行って、厚さ１．４μｍの非磁性層と厚さ０．１５μｍの磁性層を形成した。次に、ポリエステルフイルムの他方の主面に、カーボンブラックと粒状酸化鉄粉末と結合剤樹脂とを含むカーボン塗料を塗布し、乾燥処理及びカレンダ処理を行って、厚さ０．６μｍのバックコート層を形成した（ジャンボロール）。その後、ジャンボロールを１／２インチ幅に裁断してパンケーキを形成し、磁性層にサーボライターを用いてサーボ信号を記録して、ＬＴＯカートリッジ用の磁気テープを作製した。この磁気テープをＬＴＯカートリッジに組み込み、評価用磁気テープとした。
【００４９】
ＬＴＯドライブ（日本ヒューレットパッカード社製Ｕｌｔｒｉｕｍ９６０ドライブ）に、図５に示した湿度制御部１を組み込み、本発明の磁気テープ装置を作製した。この磁気テープ装置を、相対湿度８０％ＲＨ、温度３０℃の環境下で、評価用磁気テープの耐久走行試験を行った。カードリッジに組み込まれた磁気テープにおいて、約２５０ＭＢの容量分の領域（約２０ｍ）にデータを書き込み、その後、書き込まれたデータ（同容量）を読み出した。このように、磁気テープに書き込まれたデータを読み出す一連の処理を１パスとし、２５０００パスの耐久走行試験を行った。その際、湿度制御部内の湿度が５０％ＲＨ前後となるように、ペルチェ素子に流す電流量を制御しながら、耐久走行試験を行った。
【００５０】
〔４−２．実施例２〕
実施例２は、耐久走行試験の開始時にはペルチェ素子に電流を流さず、磁気テープの記録容量（磁気テープに書き込み可能なデータの容量）が耐久走行試験開始時における磁気テープの記録容量の７５％に低下した時点でペルチェ素子に電流を流し、その後、湿度制御部内の湿度が５０％ＲＨ前後となるように電流量を制御しながら、２５０００パスの走行を行った。上記以外の耐久走行試験の内容は、実施例１と同様に行った。
【００５１】
〔４−３．実施例３〕
実施例３は、ペルチェ素子によって湿度制御部内を冷却することによる湿度制御効果を確認するため、ペルチェ素子に電流を流さずに耐久走行試験を開始し、磁気テープの記録容量が耐久走行試験開始時の記録容量から１０％以上の低下（劣化）が見られるまで待った。磁気テープの記録容量が劣化した後に、１０００パス毎に、記録容量が回復するまで、ペルチェ素子に流す電流量を制御して湿度制御部内の温度を５℃づつ上げた。この耐久走行試験は、磁気テープを２５０００パス走行させるまで実施した。上記以外の耐久走行試験の内容は、実施例１と同様に行った。
【００５２】
〔４−４．比較例１〕
耐久走行試験の開始から終了までペルチェ素子に電流を流さず、磁気テープを２５０００パス走行させて耐久走行試験を実施した。上記以外は、実施例１と同様に耐久走行試験を行った。
【００５３】
〔４−５．走行耐久性の評価〕
磁気テープにおけるデータ記録可能領域に約２５０ＭＢの容量（約２０ｍ）のデータを書き込み、その後、磁気テープに書き込んだデータを読み出す処理を１パスとして、磁気テープを２５０００パス走行させて耐久走行試験を行った。各パスごとに、エラーレート上昇に伴う記録容量の推移を求めた。エラーレートが上昇し、使用できる領域の容量（記録容量）の低下量で耐久性を評価した。その評価結果を（表１）および（表２）に示す。（表１）および（表２）における「容量」の欄において、記録容量の低下量が０の場合を「○」、記録容量の低下量が１０％未満の場合を「△」、記録容量の低下量が１０％以上の場合を「×」とした。また、（表１）および（表２）における「貼り付き異音」の欄において、磁気テープと磁気ヘッドとの貼り付きに伴う異音発生がない場合を「○」、異音発生した場合を「×」とした。
【００５４】
【表１】
2009223964.tif 000003
【００５５】
【表２】
2009223964.tif 000004
【００５６】
また、記録容量の低下の様子を図８および図９に示す。図８及び（表１）に示すように、実施例１においては、２５０００パス全てにおいて記録容量の低下は見られなかったが、比較例１においては約１５０００パス以降において記録容量の低下が見られた。なお、実施例２は、記録容量が低下してからペルチェ素子に電流を流し始めているので、約１５０００〜１６０００パスにおいて記録容量の低下及び異音の発生が見られるが、ペルチェ素子によって湿度制御部内の温度が上昇した約１７０００パス以降は、記録容量は正常値に回復し、異音の発生も抑えられた。このように、実施例１及び２における磁気テープ装置によれば、外部の温度や湿度に関わらず、磁気ヘッド２及びその周辺すなわち湿度制御部１内の湿度を適正に保つことで、磁気テープが磁気ヘッドに貼り付くのを抑えてエラーレートを向上できるとともに、磁気テープが磁気ヘッドに貼り付くことによる異音の発生も抑えることができた。
【００５７】
また、図９及び（表２）に示すように、湿度制御部内の湿度が高い状態（８１％ＲＨ）が続くと、約１４０００〜１５０００パスあたりで磁気テープが磁気ヘッドに貼り付き、エラーレートが上昇してしまう。しかし、湿度制御部内の温度を５℃づつ上げて相対湿度を低下（約１６０００パス以降）させることにより、磁気テープが磁気ヘッドへ貼り付くのを抑えてエラーレートを低下させることができるとともに、磁気テープが磁気ヘッドに貼り付くことによる異音の発生も抑えることができることができた。
【産業上の利用可能性】
【００５８】
本発明の磁気テープ装置は、磁気テープを走行させることができるテープドライブに有用である。
【図面の簡単な説明】
【００５９】
【図１】実施の形態における第１の磁気テープ装置の概略構成を示す平面図
【図２】第１の磁気テープ装置における湿度制御部の構成を示す斜視図
【図３】第１の磁気テープ装置における湿度制御部の構成を示す断面図
【図４】実施の形態におけるペルチェ素子の動作制御のブロック図
【図５】第２の磁気テープ装置における湿度制御部の構成を示す斜視図
【図６】第３の磁気テープ装置における湿度制御部の構成を示す斜視図
【図７】温度と空気に含まれる飽和水蒸気量との関係を示すグラフ
【図８】耐久性試験を行った時の走行パス数と使用可能容量との関係を示すグラフ
【図９】耐久性試験を行った時の走行パス数と使用可能容量との関係を示す別のグラフ
【符号の説明】
【００６０】
１  湿度制御部
２  磁気ヘッド
４  温度湿度センサー
１０  磁気テープ装置
１１，２１，３１  ペルチェ素子
１４  ファン
１５  制御部
【図１】
2009223964.tif 000005
【図２】
2009223964.tif 000006
【図３】
2009223964.tif 000007
【図４】
2009223964.tif 000008
【図５】
2009223964.tif 000009
【図６】
2009223964.tif 000010
【図７】
2009223964.tif 000011
【図８】
2009223964.tif 000012
【図９】
2009223964.tif 000013